(57)【特許請求の範囲】
【請求項１】
車両のドアをロック状態又はアンロック状態に切り替えるロック切り替え部と、
上記車両の事故を予測又は推定する事故判定部と、
互いに並列に接続されて上記事故判定部からの信号をそれぞれ受ける複数のアンロック用スイッチ回路を有し、上記事故判定部によって事故が予測又は推定された場合において、少なくとも１つの上記アンロック用スイッチ回路が正常に機能しているときに、上記ロック切り替え部に対し、ロック状態の上記ドアをアンロック状態に切り替えさせるアンロック信号を出力するアンロック指示部と、
上記アンロック指示部が上記アンロック信号を出力した後に、上記事故判定部による予測又は推定の結果の正誤を確認する確認部と、
互いに直列に接続されて上記確認部からの信号をそれぞれ受ける複数のロック用スイッチ回路を有し、上記確認部によって上記予測又は推定の結果が誤っていたことが確認された場合において、全ての上記ロック用スイッチ回路が正常に機能しているときに、上記ロック切り替え部に対し、アンロック状態の上記ドアをロック状態に切り替えさせるロック信号を出力するロック指示部と、
上記車両の運転開始前に、上記各アンロック用スイッチ回路及び各ロック用スイッチ回路が故障していないことを確認するスイッチ確認部と、
上記スイッチ確認部によって少なくとも１つの上記アンロック用スイッチ回路又はロック用スイッチ回路が故障していることが確認された場合にドアロック制御の機能を停止させる機能停止部とを備えている
ことを特徴とする車両用ドアロック制御装置。
【請求項２】
請求項１に記載の車両用ドアロック制御装置において、
上記車両の急減速を検出する急減速検出部を有し、
上記事故判定部は、上記急減速検出部によって上記車両の急減速が検出されたときに、上記車両が事故に遭うことを予測する
ことを特徴とする車両用ドアロック制御装置。
【請求項３】
請求項１又は２に記載の車両用ドアロック制御装置において、
上記事故判定部によって事故が予測又は推定されたときに警報を発するアンロック警報部を有する
ことを特徴とする車両用ドアロック制御装置。
【請求項４】
請求項１〜３のいずれか１項に記載の車両用ドアロック制御装置において、
上記スイッチ確認部は、上記車両のイグニッションスイッチがオン状態に切り替えられたときに、上記各アンロック用スイッチ回路及び各ロック用スイッチ回路が故障していないことを確認する
ことを特徴とする車両用ドアロック制御装置。
【請求項５】
請求項１〜４のいずれか１項に記載の車両用ドアロック制御装置において、
上記事故判定部は、車両に備えられたエアバックの作動を検出したときに、上記車両が事故に遭ったことを推定する
ことを特徴とする車両用ドアロック制御装置。
【請求項６】
請求項１〜５のいずれか１項に記載の車両用ドアロック制御装置において、
上記確認部は、上記事故判定部によって事故が予測又は推定された後における上記車両の走行状態に基づき、上記事故判定部による予測又は推定の結果の正誤を確認する
ことを特徴とする車両用ドアロック制御装置。
【発明の詳細な説明】
【技術分野】
【０００１】
本発明は、車両用ドアロック制御装置に関するものである。
【背景技術】
【０００２】
従来から、所定の条件が成立した場合に車両のドアを自動でロック状態又はアンロック状態に切り替える車両用ドアロック制御装置（以下、単にドアロック制御装置と称する）が知られている。
【０００３】
ドアロック制御装置は、車両が規定速度以上の走行状態になった場合に、走行状態を車速センサが検知し、アンロック状態にあるドアを強制的にロック状態に切り替え、車両走行中の誤操作による開扉を防止するようになっている。その他に、例えばシフトポジションがＰからＰ以外のポジションに入った場合にも、ドアを強制的にロック状態に切り替えることが知られている。そのことにより、走行中の車両において乗員（特に子供）がドアを誤って開けて転落する事故や、不審者の侵入を防止するようになっている。
【０００４】
また、ドアロック制御装置は、車両に装備された衝撃センサが衝突事故等による衝撃を検出した場合に、車両が事故に遭ったこと推定してロック状態にあるドアを強制的に緊急アンロックし、迅速に開扉できるようになっている。その他に、例えばシフトポジションがＰ以外のポジションからＰに入った場合や、イグニッションスイッチがオン状態からオフ状態に切り替えられた場合にも、ドアを強制的にアンロック状態に切り替えることが知られている。そのことにより、事故発生時の乗員救出を妨げることがなく、また車両停車時に乗員がアンロック状態に切り替える煩わしさを低減するようになっている。
【０００５】
上記ドアロック制御装置として、特許文献１には、車両の走行を検知するとドアのロックアンロック状態を操作するドア開扉操作手段を無効にし、且つ車速センサが車両の停止を検知するとドア開扉操作手段の操作を有効にすることにより、車両走行中の安全性と停止中の開扉の操作性とを向上させることが開示されている。
【０００６】
また、特許文献２には、衝撃センサが衝撃を検出したときに車速センサを無効にして、緊急アンロック後にドアがロック状態に切り替えられないようにすることにより、坂道での事故等の後に車両が走行状態となってドアがロック状態に切り替えられることを防止することが開示されている。
【特許文献１】特許第２６３０８９６号公報
【特許文献２】特許第２６５７８７４号公報
【発明の開示】
【発明が解決しようとする課題】
【０００７】
しかし、上記特許文献２のように、緊急アンロック後においてロック状態に切り替える条件が成立してもドアをロック状態に切り替えないようにすると、車両が事故に遭ったことを誤って推定してドアが緊急アンロックされた場合に、車両走行中においてドアがアンロック状態のままになる。その結果、ドアを誤って開ける等によって車両乗員に危険を招くおそれがある。
【０００８】
本発明は、斯かる点に鑑みてなされたものであり、その目的とするところは、車両に事故が誤って予測又は推定された場合であっても、車両乗員の安全性を高めることにある。
【課題を解決するための手段】
【０００９】
上記の目的を達成するために、この発明では、車両の事故の予測又は推定の結果の正誤を確認し、その予測又は推定が誤っていた場合にドアをロック状態に切り替えるようにした。
【００１０】
具体的に、本発明に係るドアロック制御装置は、車両のドアをロック状態又はアンロック状態に切り替えるロック切り替え部と、上記車両の事故を予測又は推定する事故判定部と、互いに並列に接続されて上記事故判定部からの信号をそれぞれ受ける複数のアンロック用スイッチ回路を有し、上記事故判定部によって事故が予測又は推定された場合において、少なくとも１つの上記アンロック用スイッチ回路が正常に機能しているときに、上記ロック切り替え部に対し、ロック状態の上記ドアをアンロック状態に切り替えさせるアンロック信号を出力するアンロック指示部とを備え、上記アンロック指示部が上記アンロック信号を出力した後に、上記事故判定部による予測又は推定の結果の正誤を確認する確認部と、互いに直列に接続されて上記確認部からの信号をそれぞれ受ける複数のロック用スイッチ回路を有し、上記確認部によって上記予測又は推定の結果が誤っていたことが確認された場合において、全ての上記ロック用スイッチ回路が正常に機能しているときに、上記ロック切り替え部に対し、アンロック状態の上記ドアをロック状態に切り替えさせるロック信号を出力するロック指示部と、上記車両の運転開始前に、上記各アンロック用スイッチ回路及び各ロック用スイッチ回路が故障していないことを確認するスイッチ確認部と、上記スイッチ確認部によって少なくとも１つの上記アンロック用スイッチ回路又はロック用スイッチ回路が故障していることが確認された場合にドアロック制御の機能を停止させる機能停止部とを備えている。
【００１１】
本発明に係るドアロック制御装置は、上記車両の急減速を検出する急減速検出部を有し、上記事故判定部は、上記急減速検出部によって上記車両の急減速が検出されたときに、上記車両が事故に遭うことを予測することが好ましい。
【００１２】
本発明に係るドアロック制御装置は、上記事故判定部によって事故が予測又は推定されたときに警報を発するアンロック警報部を有することが好ましい。
【００１３】
上記スイッチ確認部は、上記車両のイグニッションスイッチがオン状態に切り替えられたときに、上記各アンロック用スイッチ回路及び各ロック用スイッチ回路が故障していないことを確認してもよい。
【００１４】
上記事故判定部は、車両に備えられたエアバックの作動を検出したときに、上記車両が事故に遭ったことを推定することが好ましい。
【００１５】
上記確認部は、上記事故判定部によって事故が予測又は推定された後における上記車両の走行状態に基づき、上記事故判定部による予測又は推定の結果の正誤を確認してもよい。
【００１６】
−作用−
次に、本発明の作用について説明する。
【００１７】
ドアロック制御装置は、車両のドアをロック状態又はアンロック状態に切り替えるロック切り替え部と、車両の事故を予測又は推定する事故判定部と、事故判定部によって事故が予測又は推定されたときに、ロック切り替え部に対してアンロック信号を出力するアンロック指示部とを備えている。アンロック信号は、ロック切り替え部にロック状態のドアをアンロック状態に切り替えさせる信号である。
【００１８】
このドアロック制御装置では、車両の事故が予測又は推定された場合に、車両のドアがロック状態からアンロック状態に切り替えられることにより、ドアがロック状態のままとなって車両乗員の事故車両からの迅速な救出や脱出を妨げることがないため、車両乗員の安全性が高められる。
【００１９】
特に、事故判定部が、車両に備えられたエアバックの作動を検出したときに、車両が事故に遭ったことを推定する場合には、例えば車両が車両同士の衝突事故や転落事故等の車両に衝撃が加えられる事故に遭ってエアバックが作動したときに、車両のドアがロック状態からアンロック状態に切り替えられるので、車両乗員の安全性が高められる。そのことに加えて、専用の衝撃センサからの信号に基づいて車両の事故を推定する場合に比べてコストが低減されると共に余分な配線が省かれる。
【００２０】
そして、ドアロック制御装置は、アンロック指示部がアンロック信号を出力した後に、事故判定部による予測又は推定の結果の正誤を確認する確認部と、確認部によって予測又は推定の結果が誤っていたことが確認されたときに、ロック切り替え部に対し、アンロック状態のドアをロック状態に切り替えさせるロック信号を出力するロック指示部とを備えている。そのことにより、事故判定部の予測又は推定の結果が誤っていた場合に、アンロック状態になってしまったドアが再びロックされる。これによって、車両乗員の安全性がよりいっそう高められる。
【００２１】
確認部は、事故判定部によって事故が予測又は推定された後における車両の走行状態に基づき、事故判定部による予測又は推定の結果の正誤を確認することが可能である。特に、確認部が車両の走行速度の変化及び走行時間の少なくとも一方に基づいて車両の走行状態を検出する場合には、車両が事故によって逆さまになりタイヤが空転したときや、勾配のある道での事故の後に車両が惰性走行したとき、又は事故によって停車した後に後続車両の追突によって車両が慣性走行したとき等であっても、予測又は推定の結果の正誤を正確に確認することが可能となる。
【００２２】
また、アンロック指示部は、互いに並列に接続されて事故判定部からの信号をそれぞれ受ける複数のアンロック用スイッチ回路を有しており、少なくとも１つのアンロック用スイッチ回路が故障することなく正常に機能すれば、他のアンロック用スイッチ回路が故障したとしても、ロック切り替え部にアンロック信号を出力する。そのことにより、アンロック用スイッチ回路が１つの場合に比べて、アンロック指示部がロック切り替え部に対して確実にアンロック信号を出力するため、車両乗員の安全性がより高められる。
【００２３】
一方、ロック指示部は、互いに直列に接続されて確認部からの信号をそれぞれ受ける複数のロック用スイッチ回路を有しており、複数のロック用スイッチ回路の全部が故障することなく正常に機能した場合のみロック切り替え部にロック信号を出力する。換言すると、少なくとも１つのロック用スイッチ回路が故障して機能しなくなれば、他のロック用スイッチ回路が正常に機能していたとしても、ロック切り替え部にロック信号が出力されない。そのことにより、ロック指示部は、ロック用スイッチ回路の故障によって誤ってロック信号を出力しないため、車両乗員の安全性がより高められる。
【００２４】
さらに、ドアロック制御装置は、車両の運転開始前に各アンロック用スイッチ回路及び各ロック用スイッチ回路が故障していないことを確認するスイッチ確認部と、スイッチ確認部によって少なくとも１つのアンロック用スイッチ回路又はロック用スイッチ回路が故障していることが確認されたときにドアロック制御の機能を停止させる機能停止部とを有しており、スイッチ回路の故障によって車両のドアが誤ってロック状態又はアンロック状態に切り替えられることが車両走行前において防止されるため、車両乗員の安全性がさらに高められる。
【００２５】
例えば、車両のイグニッションスイッチがオン状態に切り替えられたときに、上記スイッチ確認部が複数のスイッチ回路が故障していないことを確認する場合には、本発明の上記作用が具体的に奏されることとなる。
【００２６】
さらに、車両の急減速を検出する急減速検出部を有し、事故判定部が、急減速検出部によって車両の急減速が検出されたときに、車両が事故に遭うことを予測する場合には、急減速時に、アンロック指示部がロック切り替え部に対してアンロック信号を出力し、車両のドアがロック状態からアンロック状態に切り替えられる。したがって、例えば、運転手が急ブレーキを掛けたときには、車両が事故に遭うよりも前にドアがロック状態からアンロック状態に切り替えられる。そのことにより、車両が事故に遭ったときに、例えばバッテリが破損したり配線が断線したとしても、ドアがアンロック状態となる。そのことにより、車両乗員の安全性がより高められる。
【００２７】
また、事故判定部によって事故が予測又は推定されたときに警報を発するアンロック警報部を有する場合には、ドアがアンロック状態に切り替えられたことが車両乗員に速やかに知らされる。そのことにより、車両乗員の安全性がさらに高められる。
【発明の効果】
【００２８】
本発明によれば、アンロック指示部がアンロック信号を出力した後に、事故判定部による予測又は推定の結果の正誤を確認する確認部と、確認部によって予測又は推定の結果が誤っていたことが確認されたときに、ロック切り替え部に対し、アンロック状態のドアをロック状態に切り替えさせるロック信号を出力するロック指示部とを備えているので、事故判定部の予測又は推定の結果が誤っていた場合に、アンロック状態になってしまったドアを再ロックできる。その結果、車両乗員の安全性を高めることができる。
【発明を実施するための最良の形態】
【００２９】
以下、本発明の実施形態を図面に基づいて詳細に説明する。尚、本発明は、以下の実施形態に限定されるものではない。
【００３０】
《発明の実施形態》
図１〜図５は、本発明の実施形態を示している。図１は、本実施形態のドアロック制御装置Ｓの構成を示すブロック図である。図２は、図１のＣＰＵ２２及び出力回路２４の構成を示すブロック図である。図３は、アンロック指示部３０及びロック指示部３１の構成を示す図である。図４は、車両用ドアロックの制御方法の手順のフローチャートを示す図である。図５及び図６は、故障確認の手順を説明するための図である。
【００３１】
ドアロック制御装置Ｓは、図１に示すように、車両のドアをロック状態又はアンロック状態に切り替えるロック切り替え部であるドアロックコントローラー１０と、ドアロックコントローラー１０に対し、アンロック信号又はロック信号を出力してドアのロックアンロック状態を制御するドアロック制御部２０とを備えている。ここで、アンロック信号は、ドアロックコントローラー１０にロック状態のドアをアンロック状態に切り替えさせる信号である。一方、ロック信号は、ドアロックコントローラー１０にアンロック状態のドアをロック状態に切り替えさせる信号である。
【００３２】
上記ドアロックコントローラー１０は、ロックリレー回路１１及びアンロックリレー回路１２を有している。ロックリレー回路１１からは、ロック信号配線１３が延びて車両の全ドアのロックの状態を切り替えるためのロック駆動モータ１５にそれぞれ接続されている。アンロックリレー回路１２からは、アンロック信号配線１４が延びて車両の全ドアのロック駆動モータ１５にそれぞれ接続されている。そうして、ドアロックコントローラー１０は、アンロック信号を受けたときにはロック駆動モータ１５を駆動させてドアをロック状態からアンロック状態に切り替えると共に、ロック信号を受けたときにはドアをアンロック状態からロック状態に切り替えるように構成されている。
【００３３】
上記ドアロック制御部２０は、外部機器からの信号（外部信号）が入力される入力回路２１と、入力回路２１を介して外部信号を受けると共にその外部信号に基づいて所定の処理を実行するＣＰＵ（central processing unit）２２と、これら入力回路２１及びＣＰＵ２２に電力を供給する電源回路２３と、ＣＰＵ２２からの出力信号を受けてドアロックコントローラー１０に対してロック信号又はアンロック信号を出力する出力回路２４とを有している。
【００３４】
上記入力回路２１は、イグニッションスイッチ（ＩＧ）、車両に備えられて車両の速度を検知する車速センサ、シフトポジションの位置を検知するシフトポジション検知部、エアバックとメーターとを結線してエアバックの作動信号をメーターへ出力するエアバック作動信号配線、集中ロックスイッチ、集中アンロックスイッチ、及びドアロックの状態（ロック状態又はアンロック状態）によって切り替わる状態スイッチ等に接続されている。
【００３５】
すなわち、入力回路２１には、イグニッションスイッチの状態信号、車両の速度を示す車速信号、シフトポジションの位置信号、エアバック作動信号、集中ロック信号、集中アンロック信号、及びドアロックの状態信号等がそれぞれ入力される。尚、図１において入力回路２１を１つのブロックで模式的に示したが、実際には入力される外部信号毎にそれぞれ入力回路が設けられている。
【００３６】
上記電源回路２３は、バッテリ電源（＋Ｂ）及びグランド（ＧＮＤ）に接続されると共に入力回路２１及びＣＰＵ２２に接続されて、入力回路２１及びＣＰＵ２２に電力を供給するようになっている。
【００３７】
上記ＣＰＵ２２は、図２に示すように、車両の急減速を検出する急減速検出部３６と、車両の事故を予測又は推定する事故判定部２６と、事故判定部２６による予測又は推定の結果（以下、判定結果ともいう）の正誤を確認する確認部２７とを備えている。また、上記出力回路２４は、ドアロックコントローラー１０に対してアンロック信号を出力するアンロック指示部３０と、ドアロックコントローラー１０に対してロック信号を出力するロック指示部３１とを備えている。
【００３８】
事故判定部２６は、入力回路２１を介してＣＰＵ２２に入力される外部信号に基づいて、事故を予測又は推定するように構成されている。具体的には、この事故判定部２６は、車両に備えられたエアバック作動信号配線の出力信号（エアバック作動信号）に基づき、エアバックの作動が検出されたときに、車両が事故に遭ったことを推定する。
【００３９】
また、事故判定部２６は、上記急減速検出部３６によって車両の急減速が検出されたときに、車両が事故に遭うことを予測する。急減速検出部３６は、車速センサからの車速信号に基づいて車両の急減速を検出する。例えば、車両の加速度が−０．５Ｇになったことを検出したとき等に車両が急減速したことを検出するようになっている。
【００４０】
アンロック指示部３０は、事故判定部２６によって事故が予測又は推定されたときに、ドアロックコントローラー１０に対してアンロック信号を出力するように構成されている。すなわち、アンロック指示部３０は、エアバックの作動が検出されたとき、又は車両の急減速が検出されたときに、ドアロックコントローラー１０にアンロック信号を出力して、ドアを緊急アンロックするようになっている。
【００４１】
また、アンロック指示部３０は、ＣＰＵ２２によって、上記シフトポジションの位置信号に基づいてシフトポジションがＰ以外のポジションからＰに入ったことが検出されたときや、上記イグニッションスイッチの状態信号に基づいてイグニッションスイッチがオン状態からオフ状態に切り替えられたことが検出されたとき等のアンロック条件が成立したことが検出されたときに、ドアロックコントローラー１０にアンロック信号を出力するようになっている。
【００４２】
このアンロック指示部３０は、図３に示すように、互いに並列に接続されて事故判定部２６からの信号をそれぞれ受ける複数のアンロック用スイッチ回路である第１アンロックスイッチ回路（ＵＮＬＯＣＫ１）３０ａ及び第２アンロックスイッチ回路（ＵＮＬＯＣＫ２）３０ｂを有している。すなわち、事故判定部２６からアンロック指示部３０に入力された信号はそれぞれ第１アンロックスイッチ回路３０ａ及び第２アンロックスイッチ回路３０ｂで受けられ、このとき少なくとも一方のスイッチ回路３０ａ，３０ｂが正常に機能していれば、アンロック指示部３０はドアロックコントローラー１０にアンロック信号を出力するように構成されている。
【００４３】
確認部２７は、アンロック指示部３０がアンロック信号を出力した後に、判定結果の正誤を確認する。この確認部２７は、事故判定部２６によって事故が予測又は推定された後における車両の走行状態に基づき、事故判定部２６による判定結果の正誤を確認する。具体的には、確認部２７は、車両の走行速度の変化及び走行時間の少なくとも一方に基づき、車両の走行状態を検出し、その走行状態によって上記判定結果の正誤を確認する。
【００４４】
車両の走行速度の変化及び走行時間の双方に基づいて検出された走行状態によって判定結果の正誤を確認する場合には、例えば、事故判定部２６によって事故が予測又は推定された後において、所定速度（例えば時速３０ｋｍ）以上で所定時間（例えば１時間）以上に亘って車両の走行状態が検出されたときや、所定時間（例えば５分）以内に車両の加速及び減速がそれぞれ規定回数（例えば３回）以上繰り返されたとき、又は車両が所定時間（例えば１０分）以上停止した後に再び走行したとき等に、事故判定部２６の判定結果が誤っていたことを確認するようになっている。ここで、車両が停止するとは、イグニッションスイッチをオフ状態にして停止することではなく、イグニッションスイッチがオン状態で車両が停止することを意味する。
【００４５】
また、車両の走行速度の変化のみに基づいて検出された走行状態によって判定結果の正誤を確認する場合には、例えば、事故判定部２６によって事故が予測又は推定された後において、車両の加速及び減速がそれぞれ規定回数（例えば３回）以上繰り返されたとき等に、事故判定部２６の判定結果が誤っていたことを確認するようになっている。
【００４６】
また、その他に、車両の走行時間のみに基づいて検出された走行状態によって判定結果の正誤を確認する場合には、例えば、事故判定部２６によって事故が予測又は推定された後において、所定時間（例えば１時間）以上に亘って車両の走行状態が検出されたとき等に、事故判定部２６の判定結果が誤っていたことを確認するようになっている。
【００４７】
上記ロック指示部３１は、確認部２７によって判定結果が誤っていたことが確認されたときに、ドアロックコントローラー１０に対し、ロック信号を出力するように構成されている。また、ロック指示部３１は、ＣＰＵ２２によって、上記シフトポジションの位置信号に基づいてシフトポジションがＰからＰ以外のポジションに入ったことが検出されたときや、上記車速信号に基づいて車速が規定速度（例えば時速３０ｋｍ）以上となったことが検出されたとき等のロック条件が成立したことが検出されたときに、ドアロックコントローラー１０にロック信号を出力するようになっている。
【００４８】
このロック指示部３１は、図３に示すように、互いに直列に接続されて確認部２７からの信号をそれぞれ受ける複数のロック用スイッチ回路である第１ロックスイッチ回路（ＬＯＣＫ１）３１ａ及び第２ロックスイッチ回路（ＬＯＣＫ２）３１ｂを有している。すなわち、確認部２７からロック指示部３１に入力された信号はそれぞれ第１ロックスイッチ回路３１ａ及び第２ロックスイッチ回路３１ｂで受けられ、このとき少なくとも一方のスイッチ回路３１ａ，３１ｂが故障している場合には、ロック指示部３１はドアロックコントローラー１０に誤ってロック信号を出力しないように構成されている。
【００４９】
さらに、図１及び図２に示すように、ドアロック制御装置Ｓは、アンロック警報部３７を有し、ＣＰＵ２２がスイッチ確認部３８と機能停止部３９とを有している。
【００５０】
上記アンロック警報部３７は、事故判定部２６によって事故が予測又は推定されたときに警報を発する。すなわち、急減速検出部３６によって車両の急減速が検出されたとき、又はエアバックの作動が検出されたときには、アンロック警報部３７が警報を発する。
【００５１】
上記スイッチ確認部３８は、車両の運転開始前に、アンロック指示部３０及びロック指示部３１における各スイッチ回路３０ａ，３０ｂ，３１ａ，３１ｂが故障していないことを確認する。このスイッチ確認部３８は、車両のイグニッションスイッチがオン状態に切り替えられたときに、各スイッチ回路３０ａ，３０ｂ，３１ａ，３１ｂの故障の有無を確認する。
【００５２】
上記機能停止部３９は、スイッチ確認部３８によって少なくとも１つのスイッチ回路３０ａ，３０ｂ，３１ａ，３１ｂが故障していることが確認されたときにドアロック制御の機能を停止する。ここで、ドアロック制御の機能を停止するとは、ドアロック制御装置Ｓ全体の機能を停止させることを意味する。そうして、出力回路２４の故障が確認された場合には、ドアロック制御装置Ｓによって、車両のドアが自動でロック状態又はアンロック状態に切り替えられないようになっている。
【００５３】
−制御方法−
次に、本実施形態の車両用ドアロックの制御方法について説明する。
【００５４】
本実施形態の車両用ドアロックの制御方法では、車両の事故が予測又は推定されたときに、車両のドアをロック状態からアンロック状態に切り替える。具体的には、車両に備えられたエアバックの作動が検出されたときに、車両が事故に遭ったことを推定する。また、急減速が検出されたときに、車両が事故に遭うことを予測する。ここで、事故として想定されるのは、例えば、車両同士又は車両と建造物等との衝突事故や、車両の転落事故等である。そして、本車両用ドアロックの制御方法では、事故の予測又は推定が誤っていたときに、アンロック状態に切り替えられているドアを再びロック状態に切り替える。
【００５５】
この車両用ドアロックの制御方法は、図４に示すように、通常制御から開始し、その後のステップＳ１では、まず、車両運転中か否かを判断し、ＹＥＳ（車両運転中）の場合にはステップＳ２に進み、ＮＯ（車両運転中ではない）の場合にはステップＳ２０に進む。具体的には、ＣＰＵ２２がイグニッションスイッチのオン状態又はオフ状態を検出し、イグニッションスイッチが、オン状態の場合には車両運転中と判断し、オフ状態の場合には車両運転中ではないと判断する。
【００５６】
ステップＳ２では、車両のドアがロック状態であるか否かを確認し、ＹＥＳ（ロック状態である）の場合にはステップＳ３に進み、ＮＯ（アンロック状態である）の場合にはステップＳ１０に進む。具体的には、ＣＰＵ２２に入力回路２１を介して入力される状態スイッチからのドアロックの状態信号によってドアがロック状態であるか否かを確認する。
【００５７】
ステップＳ３では、緊急アンロックの条件が成立したか否か（車両の事故が予測又は推定されたか否か）を判断し、ＹＥＳ（緊急アンロック条件成立）の場合にはステップＳ４に進み、ＮＯ（緊急アンロック条件不成立）の場合にはステップＳ５に進む。具体的には、エアバック作動信号に基づいて、エアバックの作動が検出されて車両が事故に遭ったことが推定された場合や、車両の急減速（例えば、車速信号に基づいて車両の加速度が−０．５Ｇになったことを検出したとき等）が検出されて車両が事故に遭うことが予測された場合には、緊急アンロック条件が成立したと判断する。
【００５８】
ステップＳ４では警報を発してステップＳ６に進み、ステップＳ６ではアンロック信号をドアロックコントローラー１０に出力して車両のドアをアンロック状態にした後、通常制御に移行する。
【００５９】
すなわち、エアバックの作動が検出されたときには、車両が事故に遭ったことを推定して、ドアをロック状態からアンロック状態に切り替える。また、車両の急減速が検出されたときにも、車両が事故に遭うことを予測して、ドアをロック状態からアンロック状態に切り替える。そうして、車両に事故が予測又は推定されたときに警報を発すると共に、ドアをロック状態からアンロック状態に切り替える。
【００６０】
ステップＳ５では、以前にステップＳ３で緊急アンロック条件が成立して１回ドアがアンロック状態に切り替えられた（緊急アンロックが実施された）か否かを判断し、ＹＥＳ（以前に緊急アンロックを実施）の場合にはステップＳ７に進み、ＮＯ（以前に緊急アンロックを不実施）の場合にはステップＳ８に進む。
【００６１】
ステップＳ７では、車両が停車状態であるか否かを判断し、ＹＥＳ（停車状態である）の場合にはステップＳ９に進み、ＮＯ（走行状態である）の場合には通常制御に移行する。ステップＳ９では、アンロック信号をドアロックコントローラー１０に出力して車両のドアをアンロック状態にした後、通常制御に移行する。このように、緊急アンロックが実施された後、車両が停止した状態となったときに再度アンロック信号を出力することにより、例えば事故の衝撃によって車両全体又はドア等の車両の一部が一時的に変形した影響で、ロック駆動モータ１５が作動しなかった（ドアがアンロックされなかった）場合、又は車両乗員がロックを操作するロック操作手段に当たる等の何からの影響で緊急アンロックされたドアが再びロック状態になった場合であっても、そのロック状態のドアを再びアンロック状態に切り替えることができる。
【００６２】
ステップＳ８では、アンロック条件が成立したか否かを判断し、ＹＥＳ（アンロック条件成立）の場合にはステップＳ９に進んでドアをアンロック状態に切り替えた後に通常制御に移行し、ＮＯ（アンロック条件不成立）の場合には通常制御に移行する。
【００６３】
上記ステップＳ１０では、車両走行中に乗員が集中アンロックスイッチ等によって故意にドアをアンロック状態に切り替えたか否かを判断し、ＹＥＳ（車両乗員が故意にアンロック状態に切り替えた）の場合には、通常制御に移行して、それ以降は車両運転中でないと判定されるまで、ドアロック制御によってドアが自動でロック状態に切り替えられないようにし、ＮＯ（車両乗員が故意にアンロック状態に切り替えていない）の場合には、ステップＳ１１に進む。
【００６４】
ステップＳ１１では、緊急アンロックが実施されたか否か、つまりステップＳ３で車両に事故が予測又は推定されたか否かを確認し、ＹＥＳ（事故が予測又は推定された）場合には、ステップＳ１２に進み、ＮＯ（事故が予測及び推定されなかった）の場合には、ステップＳ１３に進む。
【００６５】
ステップＳ１２では、実際に車両が事故に遭ったか否かを確認すると共にステップＳ３での予測又は推定の結果（判定結果）の正誤を確認し、ＹＥＳ（判定結果が誤っていた）の場合にはステップＳ１４に進み、ＮＯ（判定結果が正しい）の場合には通常制御に移行する。具体的には、車両の事故が予測又は推定された後における車両の走行速度の変化及び走行時間の少なくとも一方に基づいて車両の走行状態を検出し、その車両の走行状態に基づいて判定結果の正誤を確認する。
【００６６】
車両の走行速度の変化及び走行時間の双方に基づいて検出された走行状態によって判定結果の正誤を確認する場合には、例えば、事故が予測又は推定された後において、所定速度（例えば時速３０ｋｍ）以上で所定時間（例えば１時間）以上に亘って車両の走行状態が検出されたときや、所定時間（例えば５分）以内に車両の加速及び減速がそれぞれ規定回数（例えば３回）以上繰り返されたとき、又は所定時間（例えば１０分）以上停止した後に再び車両が走行したとき等に、判定結果が誤っていたと判断する。ここで、車両が停止するとは、イグニッションスイッチがオン状態で車両が停止することを意味する。
【００６７】
また、車両の走行速度の変化のみに基づいて検出された走行状態によって判定結果の正誤を確認する場合には、例えば、事故が予測又は推定された後において、車両の加速及び減速がそれぞれ規定回数（例えば３回）以上繰り返されたとき等に、判定結果が誤っていたと判断する。
【００６８】
また、その他に、車両の走行時間のみに基づいて検出された走行状態によって判定結果の正誤を確認する場合には、例えば、事故が予測又は推定された後において、所定時間（例えば１時間）以上に亘って車両の走行状態が検出されたとき等に、判定結果が誤っていたと判断する。その他のときにはステップＳ３での判定結果が正しかったと判断する。
【００６９】
ステップＳ１３では、ロック条件が成立したか否かを判断し、ＹＥＳ（ロック条件成立）の場合にはステップＳ１４に進み、ＮＯ（ロック条件不成立）の場合には通常制御に移行する。ステップＳ１４では、ドアロックコントローラー１０に対してロック信号を出力してドアをロック状態にした後、通常制御に移行する。
【００７０】
上記ステップＳ２０では、出力回路２４が故障しているか否かを確認する故障確認を開始する。この故障確認では、図５及び図６に示すように、故障確認開始後のステップＳ２１で、まず、運転が開始されているか否かを判断し、ＹＥＳ（運転が開始されている）の場合にはステップＳ２２に進み、ＮＯ（運転が開始されていない）の場合には、ステップＳ２０に戻る。具体的には、イグニッションスイッチがオフ状態からオン状態に切り替えられたことを検出した場合に運転を開始したと判断し、イグニッションスイッチがオフ状態の場合には運転が開始されていないと判断する。
【００７１】
ステップＳ２２では、ＵＮＬＯＣＫ１（第１アンロックスイッチ回路３０ａ）及びＵＮＬＯＣＫ２（第２アンロックスイッチ回路３０ｂ）の両方をオフ状態にし、ステップＳ２３に進む。ステップＳ２３では、ＵＮＬＯＣＫｄｅｔ（アンロック指示部３０の出力）に応答があるか否かを確認し、ＹＥＳ（応答なし）の場合にはステップＳ２４に進み、ＮＯ（応答あり）の場合にはステップＳ３５に進む。
【００７２】
ステップＳ２４では、ＵＮＬＯＣＫ１のみをオン状態にしてステップ２５に進む。ステップＳ２５では、ＵＮＬＯＣＫｄｅｔに応答があるか否かを確認し、ＹＥＳ（応答あり）の場合にはステップ２６に進み、ＮＯ（応答なし）の場合にはステップＳ３５に進む。
【００７３】
ステップＳ２６では、ＵＮＬＯＣＫ２のみをオン状態にしてステップＳ２７に進む。ステップＳ２７では、ＵＮＬＯＣＫｄｅｔに応答があるか否かを確認し、ＹＥＳ（応答あり）の場合にはステップＳ２８に進み、ＮＯ（応答なし）の場合にはステップＳ３５に進む。
【００７４】
ステップＳ２８では、ＬＯＣＫ１（第１ロックスイッチ回路３１ａ）のみをオン状態にしてステップＳ２９に進む。ステップＳ２９では、ＬＯＣＫｄｅｔ（ロック指示部３１の出力）に応答があるか否かを確認し、ＹＥＳ（応答なし）の場合にはステップＳ３０に進み、ＮＯ（応答あり）の場合にはステップＳ３５に進む。
【００７５】
ステップＳ３０では、ＬＯＣＫ２（第２ロックスイッチ回路３１ｂ）のみをオン状態にしてステップＳ３１に進む。ステップＳ３１では、ＬＯＣＫｄｅｔに応答があるか否かを確認し、ＹＥＳ（応答なし）の場合にはステップＳ３２に進み、ＮＯ（応答あり）の場合にはステップＳ３５に進む。
【００７６】
ステップＳ３２では、ＬＯＣＫ１及びＬＯＣＫ２の両方をオン状態にし、ステップＳ３３に進む。ステップＳ３３では、ＬＯＣＫｄｅｔに応答があるか否かを確認し、ＹＥＳ（応答あり）の場合にはステップＳ３４に進み、ＮＯ（応答なし）の場合にはステップＳ３５に進む。ステップＳ３４では、ＵＮＬＯＣＫ１及びＵＮＬＯＣＫ２の両方を一定時間オン状態にし、車両のドアをアンロック状態にした後、通常制御に移行する。
【００７７】
ステップＳ３５では、警報を発した後、ドアロック制御の機能を完全に停止させ、車両用ドアロックの制御を終了する。このように、車両運転前に、アンロック指示部３０及びロック指示部３１における各スイッチ回路３０ａ，３０ｂ，３１ａ，３１ｂの故障を確認し、これら各スイッチ回路３０ａ，３０ｂ，３１ａ，３１ｂ全てが正常に機能していれば通常制御に移行し、１つでも故障が確認されれば車両用ドアロックの制御を終える。
【００７８】
−実施形態の効果−
したがって、この実施形態によると、ドアロック制御装置Ｓは、事故判定部２６によって事故が予測又は推定されたときに車両のドアをアンロック状態に切り替えるので、実際に事故が発生した場合に、ドアがロック状態のままとなって車両乗員の事故車両からの迅速な救出や脱出を妨げることがなく、車両乗員の安全性を高めることができる。
【００７９】
上記事故判定部２６は、車両に備えられたエアバックの作動を検出したときに、車両が事故に遭ったことを推定するため、例えば車両が車両同士の衝突事故や転落事故等の車両に衝撃が加えられる事故に遭ってエアバックが作動したときに、車両のドアをロック状態からアンロック状態に切り替えることができる。そのことに加えて、専用の衝撃センサからの信号に基づいて車両の事故を推定する場合に比べてコストを低減できると共に余分な配線を省くことができる。
【００８０】
さらに、上記事故判定部２６は、急減速検出部３６によって車両の急減速が検出されたときに、車両が事故に遭うことを予測するため、急減速時に、アンロック指示部３０がドアロックコントローラー１０に対してアンロック信号を出力し、車両のドアをロック状態からアンロック状態に切り替えることができる。したがって、例えば運転手が急ブレーキを掛けたときには、車両が事故に遭うよりも前にドアをロック状態からアンロック状態に切り替えることができる。そのことにより、車両が事故に遭ったときに、例えばバッテリが破損したり配線が断線したとしても、ドアをアンロック状態とすることができる。その結果、車両乗員の安全性をより高めることができる。
【００８１】
そして、ドアロック制御装置Ｓは、アンロック指示部３０がアンロック信号を出力した後に、事故判定部２６による判定結果の正誤を確認する確認部２７と、確認部２７によって判定結果が誤っていたことが確認されたときに、ドアロックコントローラー１０に対し、ロック信号を出力するロック指示部３１とを備えているため、事故判定部２６の判定結果が誤っていた場合に、アンロック状態になってしまったドアを再びロックできる。その結果、車両乗員の安全性をよりいっそう高めることができる。
【００８２】
上記確認部２７は、事故判定部２６によって事故が予測又は推定された後における車両の走行速度の変化及び走行時間の少なくとも一方に基づき、事故判定部２６による判定結果の正誤を判断するため、車両が事故によって逆さまになりタイヤが空転した場合、勾配のある道での事故の後に車両が惰性走行した場合、又は事故によって停車した後に後続車両の追突によって車両が慣性走行した場合等であっても、予測又は推定の結果の正誤を正確に確認することができる。
【００８３】
さらに、アンロック指示部３０は、互いに並列に接続されて事故判定部２６からの出力信号をそれぞれ受ける２つのアンロック用スイッチ回路３０ａ，３０ｂを有するため、少なくとも一方のスイッチ回路３０ａ，３０ｂが故障することなく正常に機能すれば、他方のスイッチ回路３０ａ，３０ｂが故障したとしても、ドアロックコントローラー１０にアンロック信号を出力できる。そのことにより、アンロック用スイッチ回路が１つの場合に比べて、アンロック指示部３０がドアロックコントローラー１０に対して確実にアンロック信号を出力できるため、車両乗員の安全性をより高めることができる。
【００８４】
一方、ロック指示部３１は、互いに直列に接続されて確認部２７からの信号をそれぞれ受ける２つのロック用スイッチ回路３１ａ，３１ｂを有しており、２つのロック用スイッチ回路３１ａ，３１ｂの双方が故障することなく正常に機能した場合のみドアロックコントローラー１０にロック信号を出力する。換言すると、一方のスイッチ回路３１ａ，３１ｂが故障して機能しなくなれば、他方のスイッチ回路３１ａ，３１ｂが正常に機能していたとしても、ドアロックコントローラー１０にロック信号が出力されない。そのことにより、ロック指示部３１は、ロック用スイッチ回路３１ａ，３１ｂの故障によって誤ってロック信号を出力しないため、車両乗員の安全性をより高めることができる。
【００８５】
その上、ドアロック制御装置Ｓは、車両の運転開始前に各スイッチ回路３０ａ，３０ｂ，３１ａ，３１ｂが故障していないことを確認するスイッチ確認部３８と、スイッチ確認部３８によって少なくとも１つのスイッチ回路３０ａ，３０ｂ，３１ａ，３１ｂが故障していることが確認されたときにドアロック制御の機能を停止させる機能停止部３９とを有するため、スイッチ回路３０ａ，３０ｂ，３１ａ，３１ｂの故障によって車両のドアが誤ってロック状態又はアンロック状態に切り替えられることを防止できる結果、車両乗員の安全性をさらに高めることができる。
【００８６】
また、ドアロック制御装置Ｓは、事故判定部２６によって事故が予測又は推定されたときに警報を発するアンロック警報部３７を有するため、ドアがアンロック状態に切り替えられたことを車両乗員に速やかに知らせることができる結果、車両乗員の安全性をさらに向上させることができる。
【００８７】
また、この実施形態の車両用ドアロックの制御方法によると、事故の予測又は推定が誤っていたときに、アンロック状態に切り替えられているドアを再びロック状態に切り替えるので、判定結果が誤っていた場合に、アンロック状態になってしまったドアをロックできる結果、車両乗員の安全性を向上させることができる。
【００８８】
さらに、車両に備えられたエアバックの作動を検出したときに、車両が事故に遭ったことを推定するため、エアバックが作動したときに、車両のドアをロック状態からアンロック状態に切り替えることができることにより、車両乗員の安全性を高めることができる。そのことに加えて、専用の衝撃センサからの信号に基づいて車両の事故を推定する場合に比べてコストを低減できると共に余分な配線を省くことができる。
【００８９】
さらに、車両の事故が予測又は推定された後における車両の走行速度の変化及び走行時間の少なくとも一方に基づいて判定結果の正誤を確認するため、車両が事故によって逆さまになりタイヤが空転した場合や、勾配のある道での事故の後に車両が惰性走行した場合、又は事故によって停車した後に後続車両の追突によって車両が慣性走行した場合等であっても、予測又は推定の結果の正誤を正確に確認できる。
【００９０】
また、車両の急減速が検出されたときに、車両が事故に遭うことを予測して、ドアをロック状態からアンロック状態に切り替えるため、例えば運転手が急ブレーキを掛けたときにドアをロック状態からアンロック状態に切り替えることができる結果、車両乗員の安全性をより向上させることができる。
【００９１】
また、車両が事故に遭ったことが予測又は推定されたときに警報を発するため、ドアがアンロック状態に切り替えられたことを車両乗員に速やかに知らせることができる結果、車両乗員の安全性をさらに向上させることができる。
【００９２】
《その他の実施形態》
上記実施形態では、入力回路２１は、エアバックとメーターとを結線するエアバック作動信号配線に接続されているとしたが、本発明はこれに限られず、エアバック作動信号配線に代えて、車両に備えられた専用の衝撃センサに接続してもよい。すなわち、専用の衝撃センサからの出力信号を読み取って、その出力信号に基づいて車両が事故に遭ったことを事故判定部２６によって推定してもよい。
【００９３】
また、エアバック作動信号配線及び専用の衝撃センサの双方に入力回路２１が接続されていてもよく、双方の出力信号のそれぞれに基づいて車両の事故を推定してもよい。また、その他に、入力回路２１は、エアバック信号配線に代えて、エアバックの作動を検出可能な信号を出力するその他の配線に接続されていてもよく、事故判定部２６がその出力信号に基づいてエアバックの作動を検出することが可能であればよい。
【００９４】
上記実施形態では、アンロック指示部３０が２つのアンロック用スイッチ回路３０ａ，３０ｂを有するとしたが、本発明はこれに限られず、アンロック指示部３０は互いに並列に接続された３つ以上のアンロック用スイッチ回路を有していてもよい。そのことにより、複数のアンロックスイッチ回路の一部が故障したとしても、出力回路２４からドアロックコントローラー１０にアンロック信号をより確実に出力することが可能になる。
【００９５】
また、ロック指示部３１は、２つのロック用スイッチ回路３１ａ，３１ｂを有するとしたが、互いに直列に接続された３つ以上のロック用スイッチ回路を有していてもよい。そのことにより、ロック用スイッチ回路の故障によって出力回路２４からドアロックコントローラー１０にロック信号が誤って出力されることをより抑制することが可能になる。
【００９６】
上記実施形態では、確認部２７が判定結果の正誤を確認するときにおける車両の停止を、イグニッションスイッチがオン状態で車両が停止することを意味するとしたが、本発明はこれに限られず、その車両の停止は、車両がイグニッションスイッチをオフ状態にして停止することも意味していてもよい。
【産業上の利用可能性】
【００９７】
以上説明したように、本発明は、車両用ドアロック制御装置について有用であり、特に、車両の事故が誤って予測又は推定された場合であっても、車両乗員の安全性を高める場合に適している。
【図面の簡単な説明】
【００９８】
【図１】実施形態の車両用ドアロック制御装置の構成を示す図である。
【図２】実施形態のＣＰＵ及び出力部の構成を示すブロック図である。
【図３】アンロック指示部及びロック指示部の構成を示す図である。
【図４】車両用ドアロックの制御方法の手順のフローチャートを示す図である。
【図５】出力回路における複数のスイッチ回路の故障確認の手順のフローチャートを示す図である。
【図６】出力回路における複数のスイッチ回路の故障確認の手順に供するタイミングチャートを示す図である。
【符号の説明】
【００９９】
１０    ドアロックコントローラー（ロック切り替え部）
２６    事故判定部
２７    確認部
３０    アンロック指示部
３１    ロック指示部
３６    急減速検出部
３７    アンロック警報部
３０ａ    第１アンロックスイッチ回路（スイッチ回路）
３０ｂ    第２アンロックスイッチ回路（スイッチ回路）
３１ａ    第１ロックスイッチ回路（スイッチ回路）
３１ｂ    第２ロックスイッチ回路（スイッチ回路）
３８    スイッチ確認部
３９    機能停止部
【図１】
0004841520.tif 000002
【図２】
0004841520.tif 000003
【図３】
0004841520.tif 000004
【図４】
0004841520.tif 000005
【図５】
0004841520.tif 000006
【図６】
0004841520.tif 000007